(57)【要約】【課題】  貝類（鮑）の苦痛とショックを解消しつつ真珠誘発因子を鮑に施術し、また鮑に大きな傷を与えることなく迅速且つ正確に完全な真珠誘発因子を投与、施術することができるようにすること。【解決手段】  貝類（鮑）に真珠誘発因子を施術する方法であり、鮑から採取した外套膜を平面板の上に展開し、外套膜切断注射器〔Ａ）で押さえながら、注射針（Ａ７）の内径の大きさの円盤型外套膜切片（Ｄ）を注射針（Ａ７）の入口内側に形成させた後、真珠誘発因子投与注射器（Ｂ）に外套膜切断注射器（Ａ）の針を押し込んで投与注射器（Ｂ）の注射針（Ｂ６）内にある丸い核（E）に、注射器（Ａ）の注射針（Ａ７）内の外套膜切片（Ｄ）を添着させると同時に、注射器（Ａ）を押して核（E）が外套膜切片（Ｄ）に覆われるようにして真珠誘発因子（Ｄ−Ｅ）を完成し、その後この投与注射器（Ｂ）を麻酔済の鮑の生殖巣に注射し生殖巣に安置、固定させる。【選択図】        図６
2005296004.tif 000002
【特許請求の範囲】
【請求項１】
平面板（Ｃ）の上に貝類（鮑）から採取した外套膜を展開した状態で外套膜切断注射器（Ａ)を押して環状の切断刀（Ａ５）の中に外套膜切片（Ｄ）を形成させた後、外套膜切断注射器（Ａ）の注射針（Ａ７）を核（Ｅ）が装着された真珠誘発因子の投与注射器（Ｂ）の注射針の中に押し込み、核（Ｅ）に外套膜切片（Ｄ）を添着させた状態で外套膜切断注射器（Ａ）の押し板（Ａ９）を押して外套膜切片（Ｄ）に核（Ｅ）を覆わせることによって真珠誘発因子（Ｄ−Ｅ）を完成させた後、真珠誘発因子の投与注射器（Ｂ）でオキシテトラサイクリン（
oxytetracycline）の海水溶液で麻酔させた貝殻の穴（Ｆ１）を通して貝類の生殖巣（Ｆ３）に注射して前記真珠誘発因子（Ｄ−Ｅ）を固定、安置させるか、貝類の貝殻から後足筋（Ｆ４）を分離して空間を確保し、この空間の間から貝類の生殖巣（Ｆ３）に注射して前記真珠誘発因子（Ｄ−Ｅ）を固定、安置させるかすることを特徴とする貝類（鮑）に真珠核の施術機具を利用して真珠誘発因子を施術する方法。  
【請求項２】
請求項１に記載の貝類（鮑）に真珠核の施術機具を利用して真珠誘発因子を施術する方法であって、前記外套膜切断注射器（Ａ）は、注射器に類似した形で、シリンダー（Ａ１）の上段部には中心部に通孔（Ａ２）が形成されたシリンダーパッキング（Ａ３）が結合、固定され、下段部の狭小部（Ａ４）には環状の切断刀（Ａ５）が形成された注入口（Ａ６）を持った注射針（Ａ７）が結着されており、外部から通孔（Ａ２）を通過してシリンダーの内部を経由し前記注射針（Ａ７）の内側部まで延ばされているピストン（Ａ８）の上段には押し板（Ａ９）が形成されていて、下側方向の近くには外側つかえ（Ａ１０）が、シリンダー（Ａ１）の内部にあるピストン部分には内側つかえ（Ａ１１）がそれぞれ形成され、前記ピストンの下側段部には漏斗型の溝（Ａ１２）が形成されており、漏斗の端部にはこの端部と通じるＴ字型の空気排除孔（Ａ１３）が形成されていることと、前記シリンダーの内側には内側つかえ（Ａ１１）とシリンダーの底面壁との間に弾みのかかったスプリング（Ａ１４）が設置されていることとを特徴とする貝類（鮑）に真珠核施術機具を利用した真珠誘発因子の施術方法。
【請求項３】
請求項１に記載の貝類（鮑）に真珠核の施術機具を利用して真珠誘発因子を施術する方法であって、前記真珠誘発因子投与注射器（Ｂ）は、シリンダー（Ｂ１）の下段部には中心に通孔（Ｂ２）が形成されたシリンダーパッキング（Ｂ１３）が結合、固定され、上段部の狭小部（Ｂ４）には楕円形の注入孔（Ｂ５）を付け備えた注射針（Ｂ６）が結着され、下側外部から通孔（Ｂ２）を通過してシリンダーを経由し前記注射針（Ｂ６）の内側部まで延ばされたピストン（Ｂ７）の下段には押し板（Ａ８）が形成されており、上方向の近くには外側つかえ（Ｂ１０）が形成されていて、ピストン断部（Ｂ１１）の中心には針（Ｂ12）が固定、突出されていること、前記シリンダーの内部には内側つかえ（Ｂ１０）とシリンダーの上部内壁面との間に弾みがかったスプリング（Ｂ13）が設置されていることとを特徴とする貝類（鮑）に真珠核施術機具を利用した真珠誘発因子の施術方法。
【発明の詳細な説明】
【技術分野】
【０００１】
本発明は、核施術機具を利用して貝類（例えば鮑）に真珠誘発因子を施術する方法に関し、更に詳細に述べると、鮑を麻酔した状態で鮑の外套膜を環状（disk）に切り抜く外套膜切断注射器と、鮑の真珠誘発因子（環状外套膜で覆われた真珠核）の投与注射器を鮑の生殖巣に正確に投与する、貝類（鮑）に真珠核施術機具を利用して真珠誘発因子を施術する方法に関するものである。
【背景技術】
【０００２】
従来の貝類に真珠核を施術する方法は、鮑の生体内のある部位を手術用のメスを用いて切開して核を挿入し、外套膜をピンセット等で挿入するといった複雑で難しい施術方法であるため、核を施術した後、核が施術した部位に存続できず、外套膜（貝の上皮組織）と真珠核が分離してしまい、完全な真珠核誘発因子になれないだけでなく、切開などにより大きな傷を負わせることで貝類（鮑）の貝死率が高まる傾向が多かった。
【０００３】
また、特許文献１に示すように、 柔らかくした鮑の組織、或は化学物質のような刺激を与える真珠母分泌物等を含む栄養塩溶液もしくはエポックシ溶液を、貝柱肉組織に通常の注射器で挿入する方法があるが、微粒子が貝柱肉組織に投入されることで核の生成確率も低く、核が生成されるとしてもこれらが大きな真珠に育つにはあまりにも長い年月を要する、といった欠点がある。
【０００４】
上記の特許文献１に記載されているもう一つの例として、鮑の貝殻に入口と出口の２ケ所を穿った後、筋肉組織や核が取り付けられた糸（フィラメント）を曲がった針の先端に固定させ、針の先端部を上記の入口から侵入させ出口から出させるようにして引っ張ると、糸に取りつけられた筋肉組織や核がこの針が作り出した通路に導かれて貝柱肉筋肉の所に残されるという方法があるが、これは、複雑で困難な施術方法であるため非能率的である。
【０００５】
真珠の生成の原理は、次の通りである。真珠は、貝の体内に砂粒のような異物質が入ったとき、外部の侵入から自らの身を保護するために外套膜から分泌物を分泌して異物質を包み込んでしまう。この分泌物が核に炭酸カルシウムを被着させ真珠層を形成する。このような原理を利用して、貝のある部位を切開して核と上皮細胞の切片を挿入し、核の表面に真珠層を形成するのが真珠養殖の原理である。真珠養殖の過程が進行する時に外套膜から分泌される分泌物はコンキオリンという物質であるが、このコンキオリンという透明な粘液性の物質がまず異物質（核）を包み込み、コンキオリンが炭酸カルシウムの一種であるアラゴナイトとケルサイトのごく薄い薄膜層で数千ないし数万の層を核の表面に被着させて天然真珠を作りだすのである。
【０００６】
真珠を得るための努力は、随分遠い過去から始まっている。二千年も前に中国では淡水産の貝から浮彫の形をした真珠を養殖で作り出したという記録があり、１３世紀頃にはアラビアでも海底に住む貝の肉質部を刺激して液汁を出きせ真珠を作り出したという記録があるが、体系的には、約１００年前から人為的な真珠誘発物質を挿入して球形の真珠を得る方法が一人の日本人によって発明された後、真珠の大量養殖が本格的に始まったのである。
【０００７】
真珠養殖に利用される貝は、海水産と淡水産に別れている。淡水産にはポル貝（韓国名）と馬蛤が利用されているし、海水産には、韓国や日本及び台湾等でよく利用されているアコヤ貝や十赤道近辺の地域で多く養殖されているベクヨップ貝（韓国名）、フクヨップ貝（韓国名）、その他ペンギン貝（韓国名）や牡蛎類もあるが、本発明では韓国全域に棲息している鮑類を使用して真珠を養殖しようとしている。
【０００８】
【特許文献１】米国特許第５３４７９５１号明細書
【特許文献２】韓国特許第０４１３１８０号明細書
【発明の開示】
【発明が解決しようとする課題】
【０００９】
本発明は、従来の真珠核養殖のために貝類に核誘発因子を施術する方法の問題点を解決すると同時に、特許文献２（韓国特許出願第２００１−００４４５２５号、韓国特許第０４１３１８０号明細書）に記載されている「貝類に真珠核誘発因子を施術する方法」に関する発明を更に改良発展させた方法である。
【００１０】
この方法は、貝類（鮑）に苦痛を与えないために麻酔をかけた状態で施術を施し、より傷を小さくしながらも迅速で正確に施術することができるように、上皮組織の外套膜切断注射器及び真珠核誘発因子（外套膜が添着された核）の投与注射器等の真珠核施術機具を使用することを特徴としている。これにより養殖貝類（鮑）の貝死率を減らし、完全な真珠核誘発因子を投与、施術することで真珠の成長速度を早め、商品価値の高い真珠を生産することができる。このように本発明の課題は、貝類（鮑）に真珠核施術機具を利用して真珠核誘発因子を施術する方法を提供することにある。
【課題を解決するための手段】
【００１１】
本発明は、貝類（鮑）に真珠核施術機具を利用した真珠核誘発因子を施術する方法であり、これを工程別に説明すると、次の通りである。
第１段階の工程  ：  鮑麻酔の工程
海水１０００リットルにオキシテトラサイクリン(oxytetracycline＝略称ＯＴＣ）３〜4kgを溶解した海水溶液の容器に、鮑養殖の付着板に付いている鮑を付着板と共に沈積させ３０秒〜９０秒間放置すると、付着板に付いていた鮑が付着板から離れ海水溶液容器の底面に落ちると同時に麻酔にかかる。
【００１２】
第２段階の工程  ：  鮑の外套膜切断及び核に外套膜切片組織の添着工程（核誘発因子の成形工程）
まず、鮑の外套膜（内側は上皮組織になっている）を鮑から取り除いて平面板の上に展開した後、外套膜切断注射器を以て円盤型に外套膜切片を切り抜き、切り抜いた外套膜切片が注射器の先端の内側に添着されている状態で、真珠誘発因子の投与（施術）注射器の注射針内に装填されてある核に外套膜切断注射器の針を投与注射器の針の穴を通して押し込んで外套膜切片を添着させてから、外套膜切断注射器を取り除く。
【００１３】
第３段階の工程  ：  鮑の中に真珠誘発因子の施術（投与）工程
真珠誘発因子の投与注射器の注射針の中に核誘発因子（核及び外套膜切片）が装着された後、鮑の貝殻に真珠誘発因子の投与注射器が入る程度の大きさで穴をあけ、この穴を通して鮑の生殖巣内に注射し安置、固定させて穴を防ぐか、それとも鮑の貝殻と後足筋を分離して空間を確保した後、この空間の間から真珠誘発因子を注射して固定、安置させることで、施術工程が終わるのである。
【００１４】
本発明の麻酔の工程に該当する従来の方法として、鮑に麻酔をかけずにそのまま施術する方法や、またはクロロフォルムを添加した海水や摂氏２８℃以上の温水に鮑の付着板を浸けておいてから施術する方法などがある。鮑に麻酔をかけない場合は、まず養殖の付着板に付いてある鮑を取り外すのが非常に難しく、無理に力を加えると鮑の生体に無理な力がかかり、貝殻と胴体が弛緩するか浮き離れる等の現象までもが発生しかねないし、鮑に傷を負わせることになるのである。それから、真珠誘発因子を注入する時に最小直径４ｍｍ以上の注射針を鮑の生体に打ち込むことになるが、この時鮑に与えられる苦痛とショックが甚だしく、施術後の成長に障害を起こす要因が発生することもあり、施術時にも麻酔をかけないと筋肉の収縮動き等により施術が難しくなるだけでなく、更には施術後にもバイ菌感染により鮑の貝死率が高くなる虞がある。
【００１５】
そして、麻酔溶液や高い温度の温水（２８℃以上）で麻酔した鮑の場合、鮑から苦痛とショックを減らすことができるし、施術もまた容易ではあるが、施術後バイ菌の感染で３０％近くの貝死率を誘発する。
【００１６】
しかし、本発明で使用する ＯＴＣ海水溶液は、麻酔機能と抗生機能を同時に持ち備えているので、従来の方法の問題点を解決することができる。
【発明の効果】
【００１７】
本発明による施術方法は、鮑を麻酔するときに麻酔機能と抗生機能を同時に合わせ持つ海水溶液を使用することで、鮑の苦痛とショックを解消し、施術を容易にすることができるし、施術後のバイ菌の感染を防止することと、更には施術機具を使用することで鮑に大きな傷を与えることなく迅速且つ正確に完全な真珠誘発因子を投与、施術することにより、真珠の成長速度を早め、商品価値の高い真珠を生産することができる、貝類（鮑）に真珠核施術機具を利用した真珠誘発因子の施術方法である。
【発明を実施するための最良の形態】
【００１８】
本発明の実施の形態を図面を参照して詳細に述べると、図１は、本発明の第２段階の工程で使用される外套膜切断注射器の縦断面図であるが、この外套膜切断注射器（Ａ）の構造を説明する、次の通りである。
注射器に似た形をしたシリンダー（Ａ１）の上段部には中心部に通孔（Ａ２）が形成きれたシリンダーパッキング（Ａ３）が結合、固定され、下段部の狭小部（Ａ４）には環状の切断刀（Ａ５）が形成された注入口（Ａ６）を付け備えた注射針（Ａ７）が結着されてある。
【００１９】
外部から通孔（Ａ２）を通過しシリンダー内部を経て注射針（Ａ７）の内側部まで延ばされたピストン（Ａ８）の上段には押し板（Ａ９）が形成されており、そのすぐ下側には外側つかえ（Ａ１０）が、シリンダー内部にあるピストン部分には内側つかえ（Ａ１１）がそれぞれ形成されている。ピストンの下側段部には漏斗型の溝（Ａ１２）が形成されており、漏斗の端部には端部に通じる Ｔ字型の空気排除孔（Ａ１３）が形成されている。シリンダー（Ａ１）の内部で内側つかえ（Ａ１１）とシリンダーの底面壁との間には弾みのかかったスプリング（Ａ１４）が設置されている。これが外套膜切断注射器（Ａ）の構造である。
【００２０】
また、図２は、本発明の第２段階及び第3段階の工程で使用される真珠誘発因子の投与（施術）注射器の縦断面図である。この真珠誘発因子の投与注射器（Ｂ）の構造を説明すると、これもまた注射器のような形態を有し、シリンダー（Ｂ１）の下段部には中心に通孔（Ｂ２）が形成されたシリンダーのパッキング（Ｂ３）が結合、固定されている。上段部の狭小部（Ｂ４）には楕円形の注入孔（Ｂ５）を付け備えた注射針（Ｂ６）が結着されており、下側外部から通孔（Ｂ２）を通過しシリンダーを通って注射針（Ｂ６）の内側部まで延ばされたピストン（Ｂ７）の下段には押し板（Ｂ８）が形成され、そのすぐ上方には外側つかえ（Ｂ９）が形成され、シリンダーの内部にあるピストン部分には内側つかえ（Ｂ１０）が形成されている。またピストン（Ｂ７）の断部（Ｂ１１）の中心には針（Ｂ１２）が固定、突出されており、シリンダー（Ｂ１）の内部で内側つかえ（Ｂ１０）とシリンダーの上側内壁面との間には弾みのかかったスプリング（Ｂ１３）が設置されている、これが真珠誘発因子の投与注射器（Ｂ）の構造である。
【００２１】
上記の外套膜切断注射器（Ａ）及び真珠誘発因子の投与注射器（Ｂ）の機能やこれを使用した施術の過程を述べると、次の通りである。
図３に示すように、平面板（Ｃ）の上に鮑から採取した外套膜（Ｄ）を展開した状態で外套膜切断注射器（Ａ）を押すと、図４のように環状の切断刀（Ａ５）の中に外套膜切片（Ｄ）が形成され、この外套膜切片（Ｄ）は、切断刀（Ａ５）の中に添着される。この状態で図５に示すように、外套膜切断注射器（Ａ）の注射針（Ａ７）を真珠誘発因子の投与注射器（Ｂ）の楕円形の注入孔（Ｂ５）に押し込み、予めピストンの断部（Ｂ１１）の針（Ｂ１２）に突き通しておいた核（E）が添着した状態で、外套膜切断注射器（Ａ）の押し板（Ａ９）を押すと、図６に示すように、外套膜切片（Ｄ）も一緒に針に突き通されると同時に外套膜切片（Ｄ）が核（Ｅ）の半分を覆うようになるため、図７のような真珠誘発因子（Ｄ−Ｅ）が完成する。
【００２２】
このようにして真珠誘発因子（Ｄ−Ｅ）が完成した後、図８に示すように、鮑（Ｆ）の貝殻（Ｆ１）に穴（Ｆ２）をあけ、その穴を通して真珠誘発因子（Ｄ−Ｅ）が装着された真珠誘発因子の投与注射器（Ｂ）を以て鮑の生殖巣（Ｆ３）の内に注射し真珠誘発因子（Ｄ−Ｅ）を固定、安置させる。
【００２３】
真珠誘発因子（Ｄ−Ｅ）を生殖巣（Ｆ３）に固定、安置する他の方法が図９に示され、この方法では、鮑（F）の貝殻（Ｆ１）と後足筋（Ｆ４）を分離してこれらの間に空間を確保し、この空間から真珠誘発因子（Ｄ−Ｅ）が装着された真珠誘発因子の投与注射器（Ｂ）を注射し、真珠誘発因子（Ｄ−Ｅ）を鮑の生殖巣（Ｆ３）内に固定、安置させる。
【００２４】
本発明に用いられる外套膜切断注射器（Ａ）の特徴は、ピストン（Ａ８）の断部に漏斗型の溝（Ａ１２）が形成されていて、外套膜切片（Ｄ）を丸い核（E）に添着する際に、可能な限り核（Ｅ）を広く覆い尽くすことができるということと、注射器（Ａ）を取り外すときに、漏斗型の溝（Ａ１２）から離れやすいように溝（Ａ１２）の端部にＴ字型の空気穴（Ａ１３）を形成すると同時に、両注射器が相接するとき核（Ｅ）から突出した針（Ｂ１２）の進行空間を提供する、ということにある。
【００２５】
また、真珠誘発因子の投与注射器（Ｂ）の特徴は、ピストン（Ｂ７）の断部（Ｂ１１）に針（Ｂ１２）を突出させることで、注射のとき外套膜（Ｄ）と核（E）が弛緩されることなく鮑（Ｆ）の生殖巣（Ｆ１３）に迅速且つ正確に安置、固定することができるということである。
【００２６】
ここで注意しなければならないことは、外套膜の内側は上皮組織でできているので、鮑から採取した外套膜を板の上に展開するとき、外套膜が表面に出るように展開しなければならないということである。これは、外套膜の内側である上皮組織を核（Ｅ）にくっつき易くし、完全な核誘発因子を得ることができ、施術後の真珠養殖にも有利であるという理由からである。
【産業上の利用可能性】
【００２７】
本発明によれば、麻酔機能と抗生機能を同時に合わせ持つ海水溶液を使用して鮑（貝類）を麻酔するので、鮑の苦痛とショックを解消し、施術を容易にすることができる上に、施術後のバイ菌の感染を防止することができ、また施術機具を使用することで鮑に大きな傷を与えることなく迅速且つ正確に完全な真珠誘発因子を投与、施術することができ、従って真珠の成長速度を上昇し、高い商品価値を有する真珠を生産することができるので、産業上の利用性が向上する。
【図面の簡単な説明】
【００２８】
【図１】本発明に用いられる外套膜切断注射器の縦断面図である。
【図２】本発明に用いられる真珠誘発因子の投与（施術）注射器の縦断面図である。
【図３】真珠誘発因子を製造するため、図１の外套膜切断注射器を用いて外套膜を切断する状態を示す図である。
【図４】図３の方法によって外套膜切断注射器に外套膜切片が保持された状態を示す図である。
【図５】図４に示す外套膜切片を有する外套膜切断注射器と核を有する図２の投与注射器とを用いて真珠誘発因子を製造しようとする状態を示す図である。
【図６】図５の状態から更に進んで外套膜切断注射器が投与注射器に押し込まれて外套膜切片が核を覆っている状態を示す図である。
【図７】投与注射器から外套膜切断注射器を引き抜いて真珠誘発因子が投与注射器に残って保持されている状態を示す図である。
【図８】図７に示される投与注射器内の真珠誘発を鮑に施術する１つの方法を示す図である。
【図９】図７に示される投与注射器内の真珠誘発因子を鮑に施術する他の方法を示す図である。
【符号の説明】
【００２９】
Ａ  外套膜切断注射器
Ｂ  真珠誘発因子投与注射器
Ｃ  平面板
Ｄ  外套膜切片
Ｅ  核
Ｄ−Ｅ  真珠誘発因子
Ｆ３  鉋の生殖巣
Ｆ４  後足筋
【図１】
2005296004.tif 000003
【図２】
2005296004.tif 000004
【図３】
2005296004.tif 000005
【図４】
2005296004.tif 000006
【図５】
2005296004.tif 000007
【図６】
2005296004.tif 000008
【図７】
2005296004.tif 000009
【図８】
2005296004.tif 000010
【図９】
2005296004.tif 000011